(57)【要約】【課題】複数のＬＥＤ素子をライン状に並べた画像読取装置において、ＬＥＤ素子の経時的な劣化に伴って不足する黄色の光量を補うようにする。【解決手段】メインのＬＥＤ素子Ｌ１〜Ｌ２２は、青色の光を発生させるＬＥＤチップ（発光体）と黄色の蛍光材（蛍光体）との組み合わせにより、全体として白色を発光する。光源用メイン基板２５の上面に後側から順に、ＬＥＤ素子Ｌ１〜Ｌ２２を配置し、これらに隣接させて、黄色の光を発光するサブのＬＥＤ素子Ｎ１〜Ｎ２２を配置する。ＬＥＤ素子Ｌ１〜Ｌ２２は、使用に伴い、青色のＬＥＤチップよりも、黄色の蛍光材の方が劣化が早いので、全体として黄色の光量が不足して青味がかる。黄色の光量が閾値よりも少なくなったときに、そのメインのＬＥＤ素子に隣接しているサブのＬＥＤ素子を点灯して、黄色の光を補う。【選択図】図３
2009060344.tif 000002
【特許請求の範囲】
【請求項１】
原稿の画像面を光源によりライン状に照射し、前記ラインと前記原稿とが交差するように前記光源又は前記原稿を移動させ、前記光源から出射されて前記原稿の画像面で反射された反射光を結像レンズを通して固体撮像素子に導く画像読取装置において、
ライン状に整列されて前記光源を構成し、前記原稿の画像面を照射する点光源としての複数のメイン光源素子と、
前記複数のメイン光源素子のそれぞれに隣接するように配置され、前記メイン光源素子の経時的劣化に伴って光量が不足する波長の光を発生する複数のサブ光源素子と、を備える、
ことを特徴とする画像読取装置。
【請求項２】
原稿の画像面を光源によりライン状に照射し、前記ラインと前記原稿とが交差するように前記光源又は前記原稿を移動させ、前記光源から出射されて前記原稿の画像面で反射された反射光を結像レンズを通して固体撮像素子に導く画像読取装置において、
前記ラインの方向である主走査方向に沿って、前記原稿の画像面に対向するように配置された導光体と、
前記導光体の前記主走査方向の端部に配置されて、前記導光体を介して前記原稿の画像面をライン状に照射する点光源としてのメイン光源素子と、
前記メイン光源素子に隣接するように配置され、前記メイン光源素子の経時的劣化に伴って光量が不足する波長の光を発生するサブ光源素子と、を備える、
ことを特徴とする画像読取装置。
【請求項３】
前記サブ光源素子は、前記メイン光源素子の経時的劣化に伴って光量が不足する色の光を発生する、
ことを特徴とする請求項１又は２に記載の画像読取装置。
【請求項４】
前記メイン光源素子の経時的劣化に伴って所定の色の光量が、所定の閾値以下になると、前記サブ光源素子を点灯させる制御手段を備える、
ことを特徴とする請求項３に記載の画像読取装置。
【請求項５】
前記制御手段は、前記メイン光源素子及び前記サブ光源素子に対し、その電流値又は電圧値を調整することで光量を変化させる、
ことを特徴とする請求項４に記載の画像読取装置。
【請求項６】
前記メイン光源素子及び前記サブ光源素子が、ＬＥＤ素子である、
ことを特徴とする請求項１乃至５のいずれか１項に記載の画像読取装置。
【請求項７】
前記メイン光源素子が、青色光を発生させる発光体と、黄色の蛍光体とによって白色光を発光する光源素子である、
ことを特徴とする請求項６に記載の画像読取装置。
【請求項８】
前記サブ光源素子が、黄色光を発光する光源素子である、
ことを特徴とする請求項７に記載の画像読取装置。
【請求項９】
原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置において、
前記画像読取部に、請求項１乃至８のいずれか１項に記載の画像読取装置が配設されている、
ことを特徴とする画像形成装置。
【発明の詳細な説明】
【技術分野】
【０００１】
本発明は、点光源である光源素子により原稿をライン状に照射したときの反射光に基づいて画像を読み取る画像読取装置、及びこれを備えた画像形成装置に関する。
【背景技術】
【０００２】
複写機，プリンタ，ファクシミリ等の画像形成装置に使用される画像読取装置は、光源によって原稿の画像面を照射し、その反射光を結像レンズを介して固体撮像素子に導くことで画像を読み取る。
【０００３】
光源としては、従来からセノンランプ，冷陰極ランプ等の棒状の光源が使用されていたが、近時では、これらよりも低価格で長寿命のＬＥＤ等の光源素子（点光源）をライン状に複数、整列させて使用するものも提案されている。また、主走査方向にそって導光体（導光板）を配置し、導光体の主走査方向の端部にＬＥＤ素子を配置して、導光体を介して原稿を照射する、いわゆるサイドライト方式のものも提案されている。
【０００４】
ＬＥＤ素子は、一般に、適宜な色の発光体と蛍光体とを組み合わせることで、白色光を発生させるようにしている。ところで、蛍光体は発光体よりも寿命が短いため、使用に伴って早く劣化する。このため、ＬＥＤ素子は、発光体の劣化に起因する照度低下が発生する前に、蛍光体の劣化に起因して発光波長が変化し、いわゆる色が変化するという問題がある。
【０００５】
特許文献１には、このような問題を解決するための技術が提案されている。これによると、ＲＧＢの３色のＬＥＤ素子を使用し、これらの電流値や電力値を個別に調整して、各色の照度を変化させ、全体の発光波長を変化させないようにしている。
【特許文献１】特開２００３−２３３１４２号公報
【発明の開示】
【発明が解決しようとする課題】
【０００６】
しかしながら、上述の従来技術によると、白色を発光させるためにＲＧＢの３色のＬＥＤ素子が必要となり、ＬＥＤ素子を取り付けるためのスペースが大きくなるという問題がある。また、ＲＧＢの３色の照度を適宜に調整することで白色を作り出しているために、３色の色バランスをとるための照度の制御が複雑になるという問題がある。
【０００７】
そこで、本発明は、光源素子を取り付けるためのスペースが小さくてすみ、また、光源素子の照度の制御が簡単な画像読取装置、及びこれを備えた画像形成装置を提供することを目的とするものである。
【課題を解決するための手段】
【０００８】
請求項１に係る発明は、原稿の画像面を光源によりライン状に照射し、前記ラインと前記原稿とが交差するように前記光源又は前記原稿を移動させ、前記光源から出射されて前記原稿の画像面で反射された反射光を結像レンズを通して固体撮像素子に導く画像読取装置に関する。この発明に係る画像読取装置は、ライン状に整列されて前記光源を構成し、前記原稿の画像面を照射する点光源としての複数のメイン光源素子と、前記複数のメイン光源素子のそれぞれに隣接するように配置され、前記メイン光源素子の経時的劣化に伴って光量が不足する波長の光を発生する複数のサブ光源素子と、を備える、ことを特徴としている。
【０００９】
請求項２に係る発明は、原稿の画像面を光源によりライン状に照射し、前記ラインと前記原稿とが交差するように前記光源又は前記原稿を移動させ、前記光源から出射されて前記原稿の画像面で反射された反射光を結像レンズを通して固体撮像素子に導く画像読取装置に関する。この発明に係る画像読取装置は、前記ラインの方向である主走査方向に沿って、前記原稿の画像面に対向するように配置された導光体と、前記導光体の前記主走査方向の端部に配置されて、前記導光体を介して前記原稿の画像面をライン状に照射する点光源としてのメイン光源素子と、前記メイン光源素子に隣接するように配置され、前記メイン光源素子の経時的劣化に伴って光量が不足する波長の光を発生するサブ光源素子と、を備える、ことを特徴としている。
【００１０】
請求項３に係る発明は、請求項１又は２に係る画像読取装置において、前記サブ光源素子は、前記メイン光源素子の経時的劣化に伴って光量が不足する色の光を発生する、ことを特徴としている。
【００１１】
請求項４に係る発明は、請求項３に係る画像読取装置において、前記メイン光源素子の経時的劣化に伴って所定の色の光量が、所定の閾値以下になると、前記サブ光源素子を点灯させる制御手段を備える、ことを特徴としている。
【００１２】
請求項５に係る発明は、請求項４に係る画像読取装置において、前記制御手段は、前記複数のメイン光源素子及び前記複数のサブ光源素子に対し、その電流値又は電圧値を調整することで光量を変化させる、ことを特徴としている。
【００１３】
請求項６に係る発明は、請求項１乃至５のいずれか１項に係る画像読取装置において、前記メイン光源素子及び前記サブ光源素子が、ＬＥＤ素子である、ことを特徴としている。
【００１４】
請求項７に係る発明は、請求項６に係る画像読取装置において、前記メイン光源素子が、青色光を発生させる発光体と、黄色の蛍光体とによって白色光を発光する光源素子である、ことを特徴としている。
【００１５】
請求項８に係る発明は、請求項７に係る画像読取装置において、前記サブ光源素子が、黄色光を発光する光源素子である、ことを特徴としている。
【００１６】
請求項９に係る発明は、原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置に関する。この発明に係る画像形成装置は、前記画像読取部に、請求項１乃至８のいずれか１項に記載の画像読取装置が配設されている、ことを特徴としている。
【発明の効果】
【００１７】
請求項１の発明によれば、ライン状に整列されたメイン光源素子が使用により経時的に劣化して、光量が不足した場合、サブ光源素子は、その不足した光量に対応する波長の光を発生させて、その光量を補うことができる。また、サブ光源素子は、メイン光源素子に隣接して配置されているので、サブ光源素子を点灯することに起因する、ラインに沿った色ムラが発生しにくい。
【００１８】
請求項２の発明によれば、導光体の主走査方向に沿っての端部に配置されたメイン光源素子が使用により経時的に劣化して、光量が不足した場合、サブ光源素子は、その不足した光量に対応する波長の光を発生させて、その光量を補うことができる。また、サブ光源素子は、メイン光源素子に隣接して配置されているので、サブ光源素子を点灯することに起因する、ラインに沿った色ムラが発生しにくい。
【００１９】
請求項３の発明によれば、サブ光源素子は、メイン光源素子の劣化に伴う色の変化を補正することができる。
【００２０】
請求項４の発明によれば、制御手段は、メイン光源素子の所定の色の光量が、所定の閾値以下になると、サブ光源素子を点灯させて、その色の光量不足を補うことができる。
【００２１】
請求項５の発明によれば、メイン光源素子及びサブ光源素子は、電流値又は電圧値を調整することで光量を変化させることができるので、メイン光源素子の所定の色の光量が不足した場合に、サブ光源素子の電流値又は電圧値を調整し、さらに必要に応じてメイン光源素子の電流値又は電圧値を調整することで、メイン光源素子及びサブ光源素子の全体として、適宜な色の光を照射することが可能となる。
【００２２】
請求項６の発明によると、メイン光源素子及びサブ光源素子がＬＥＤ素子であるので、キセノン等と比較して、安価で長寿命の光源を構成することができる。
【００２３】
請求項７の発明によれば、メイン光源素子が、青色光を発生させる発光体と、黄色の蛍光体とによって白色光を発光する光源素子であり、発光体と蛍光体との他の色の組み合わせで白色光を発光させる光源素子と比較して、安定して白色光を発生させることが可能である。
【００２４】
請求項８の発明によれば、サブ光源素子は、メイン光源素子が発生する光に対して、黄色の光の光量を補うことができる。すなわち、請求項６のように青色の発光体と黄色の蛍光体とによってメイン光源素子を構成した場合には、一般に、発光体よりも蛍光体の方が早く劣化するため、使用に伴って、黄色の光量が不足がちとなる。そこで、サブ光源素子によって黄色の光の光量を補うことにより、全体として白色の光とすることができる。
【００２５】
請求項９の発明によれば、画像読取装置における上述の請求項１〜８の効果を、画像形成装置として奏することができる。
【発明を実施するための最良の形態】
【００２６】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００２７】
＜実施形態１＞
図１〜図８を参照して、本発明に係る画像読取装置１０について説明する。このうち、図１は、画像読取装置１０の縦断面を正面側（前側）から見た図である。図２は、シート状の原稿ＧのサイズがＡ列，Ｂ列である場合の、原稿載置用ガラス１８と、各サイズの原稿Ｇの載置位置と、光源１２を構成するメインのＬＥＤ素子（メイン光源素子）Ｌ１〜Ｌ２２との位置関係を説明する上面図である。図３は、ＬＥＤ素子Ｌ１〜Ｌ２２及びサブのＬＥＤ素子（サブ光源素子）Ｎ１〜Ｎ２２の配置を説明する上面図である。なお、以下の説明では、メイン光源素子としてのＬＥＤ素子Ｌ１〜Ｌ２２について、これらを区別する必要がない場合、任意の１つについて説明する場合、総称して呼ぶ場合等には、ＬＥＤ素子Ｌという。同様に、サブ光源素子としてのＬＥＤ素子Ｎ１〜Ｎ２２について、これらを区別する必要がない場合、任意の１つについて説明する場合、総称して呼ぶ場合等には、ＬＥＤ素子Ｎという。図４は、メインのＬＥＤ素子Ｌの縦断面図である。図５は、メインのＬＥＤ素子ＬのＬＥＤチップ（発光体）７８の縦断面図である。図６は、固定読み（テーブル読取）の場合の動作の流れを説明するフローチャートである。図７は、流し読み（シートスルー読取）の場合の動作の流れを説明するフローチャートである。図８は、シェーディング補正時の動作の流れを説明するフローチャートである。なお、図１〜図３において矢印で示す前後左右上下等の方向は、実際の画像読取装置１０や光源１２の前後左右上下等の方向を示している。
【００２８】
図１に示すように、画像読取装置１０は、照明装置１１と結像レンズ１３とＣＣＤ（固体撮像素子）１４とを備えており、さらに、照明装置１１は、光源１２と駆動装置１５とを備えている。これら光源１２、駆動装置１５、結像レンズ１３、ＣＣＤ１４は、いずれも直方体状の筐体（フレーム）１６の内側の収納室Ｓに配設されている。筐体１６は、その上面に開口部１７を有していて、この開口部１７には、原稿Ｇの固定読み時に使用される透明な原稿載置用ガラス１８が配設されている。これに対し、後述する原稿自動給送装置６０を使用して、原稿Ｇを流し読みする際には、この原稿載置用ガラス１８の左側に配置されている、前後方向に長い透明なシートスルー用ガラス１８ａが使用される。
【００２９】
図２に示すように、原稿載置用ガラス１８は、最大サイズの原稿Ｇ（本実施形態ではＡ３サイズ）よりも大きい長方形状に形成されている。原稿載置用ガラス１８の左端には前後方向に向けて左指示板２０が、また後端及び前端には、それぞれ左右方向に向けて後指示板２１、前指示板２２が配設されている。このうち左指示板２０と後指示板２１とが交差する位置が、原稿Ｇを固定読みする際の読取基準位置Ｐ０１となる。固定読み時に原稿載置用ガラス１８に載置される原稿Ｇは、１つの角部を基準位置Ｐ０１に合わせ、左端を左指示板２０に合わせ、後端を後指示板２１に合わせて位置決めされる。これが、固定読み時の読取位置である。図２中には、読取位置に配置された状態の各サイズの原稿Ｇの位置及び向きを、「Ａ６Ｒ，Ｂ６Ｒ，Ｂ５（Ｒ），Ａ４（Ｒ），Ｂ４，Ａ３」のように表示している。なお、左指示板２０及び後指示板２１における、これらの表示に対応する位置には、これらと同じ表記が付されている。原稿載置用ガラス１８の左端側における下方には、光源１２が配設されている。光源１２は、後述するように、点光源であるメインのＬＥＤ素子Ｌ１〜Ｌ２２を前後方向に並べて全体として前後方向に長く構成されている。
【００３０】
図１に示すように、原稿載置用ガラス１８の左端側の下方には、照明用光学移動枠ユニット２３が配設されている。照明用光学移動枠ユニット２３は、前後方向に長い移動枠２４を有している。この移動枠２４には、光源１２が取り付けられた光源用メイン基板（基板）２５と、導光レンズ１９と、反射板２６と、第１ミラー２７とが搭載されている。このうち光源用メイン基板２５は、図２に示すように、前後方向に長く形成されていて、その上面には、光源１２が取り付けられている。本実施形態では、光源１２は、点光源であるメインのＬＥＤ素子Ｌ１〜Ｌ２２を複数（図２では２２個）、前後方向にライン状に整列させて構成している。ここで、ライン状とは、１本の直線上に整列された場合に限らず、例えば千鳥状に整列して、実質的に直線状である場合も含めるものとする。これらＬＥＤ素子Ｌ１〜Ｌ２２は、ライン方向（前後方向）に沿って原稿Ｇの画像面をムラ無く照射できる所定のピッチＰ（本実施形態では１５ｍｍ）で整列されている。図２において、最後端のＬＥＤ素子Ｌ１の中心から、最前端のＬＥＤ素子Ｌ２２の中心までの距離が、３１５ｍｍ（＝１５ｍｍ×２１）に設定されていて、これらＬＥＤ素子Ｌ１とＬＥＤ素子Ｌ２２との間に、図２に示す例では、通紙幅が最大となる、Ａ４サイズの原稿Ｇの長辺（＝２９７ｍｍ）、またはＡ３サイズの原稿Ｇの短辺（＝２９７ｍｍ）が入るように設定されている。複数のＬＥＤ素子Ｌ１〜Ｌ２２によって構成された光源１２は、図１に示すように、原稿載置用ガラス１８の上面に設定されている読取ラインＬｎを右斜め下方から照射するようになっている。これらＬＥＤ素子Ｌ１〜Ｌ２２は、図１に示す制御手段７０によって、個別に点灯（オン）及び消灯（オフ）のタイミングが制御される。また、光量についても、制御手段７０により、電流値又は電圧値が調整されることで、個別に制御されるようになっている。導光レンズ１９は、光源１２と読取ラインＬｎとの間に位置するように、移動枠２４によって保持されており、光源１２から発光された光を読取ラインＬｎに導くようになっている。
【００３１】
図１に示すように、反射板２６は、読取ラインＬｎから下ろした垂線に対して、上述の光源１２と反対側に配置されている。上述のように、光源１２は、原稿載置用ガラス１８上の原稿Ｇを右斜め下方から照射しているため、原稿Ｇの左端に影が形成されて、この影が前後方向の直線状の画像として読み込まれがちである。反射板２６は、光源１２からの光を反射して読取ラインＬｎに導いて、この影を除去する。なお、本実施形態では、反射板２６は、光源１２からの光を反射して原稿Ｇの画像面を間接照射し、これにより、直接照射による物面照度ムラや像面照度ムラを低減する部材としても使用されている。
【００３２】
照明用光学移動枠ユニット２３における、読取ラインＬｎの直下に位置する部分には、第１ミラー２７が配設されている。第１ミラー２７は、左斜め上の４５度を向けた状態で取り付けられている。以上のように、照明用光学移動枠ユニット２３は、移動枠２４に光源１２、光源用メイン基板２５、導光レンズ１９、反射板２６、第１ミラー２７を搭載した状態で、左右方向に敷設した光学レール（ガイド部材）２９に沿って左右方向に移動できる。つまり、前後方向にライン状（線状）の光源１２に対して、これに直交する左右方向に移動することができるようになっている。この照明用光学移動枠ユニット２３は、右方に移動しながら読取ラインＬｎに向けて光源１２から光を照射し、原稿Ｇの画像面からの反射光を次に説明する第２ミラー２８に導くものである。
【００３３】
図１に示すように、原稿載置用ガラス１８の左端側の下方には、上述の照明用光学移動枠ユニット２３の左方に、反射用光学移動枠ユニット３０が配設されている。反射用光学移動枠ユニット３０は、前後方向に長い移動枠３１を有している。この移動枠３１には、右斜め下４５度を向けた状態で第２ミラー２８が、また右斜め上４５度を向けた姿勢で第３ミラー３２が搭載されている。さらに、この移動枠３１は、その前端と後端とにおいて、可動プーリ３３を回動自在に支持している。以上のように、反射用光学移動枠ユニット３０は、第２ミラー２８、第３ミラー３２、可動プーリ３３を搭載した状態で、左右方向に敷設された光学レール２９に沿って左右方向に移動できるようになっている。この反射用光学移動枠ユニット３０は、右方に移動しながら、上述の照明用光学移動枠ユニット２３の第１ミラー２７からの光を第２ミラー２８、第３ミラー３２で反射して後述の結像レンズ１３に導くものである。
【００３４】
図１に示すように、筐体１６の左端近傍には前端と後端とに固定左プーリ３４，３４が、また筐体１６の右端近傍には前端と後端とに固定右プーリ３５，３５がそれぞれ回動自在に配設されている。また、固定右プーリ３５，３５の下方には、正逆回転可能なモータ３６が配設されている。さらに、モータ３６の左方には、駆動軸３７と一体の駆動プーリ３８が配設されていて、モータ３６の出力軸４０と駆動プーリ３８との間には、駆動ベルト４１が張設されている。駆動軸３７の前端と後端とには、ワイヤドラム４２，４２が固定されており、これらワイヤドラム４２，４２には、それぞれ光学ワイヤ４３，４３が巻き掛けられている。
【００３５】
これら光学ワイヤ４３，４３の一方の端部４４，４４は、筐体１６の左側壁４５の内面に固定されている。光学ワイヤ４３，４３は、ここから右方に延びて、反射用光学移動枠ユニット３０の可動プーリ３３，３３の右半部に掛け渡されて左方に折り返し、固定左プーリ３４，３４の左半部に掛け渡された後、右方に折り返して固定右プーリ３５，３５に向かって延びる。さらに、ワイヤドラム４２，４２に１周分巻き付けられた後、固定右プーリ３５，３５の右半部に掛け渡されて左方に延び、途中で照明用光学移動枠ユニット２３に固定された後、さらに左方に延びて、可動プーリ３３，３３の左半部に掛け渡されて右方に折り返し、レンズ取付台４６上に突設されたフック４７に係止されている。
【００３６】
このような光学ワイヤ４３，４３の引き回しに基づき、モータ３６が図１中の反時計回りに回転すると、駆動ベルト４１、駆動プーリ３８、駆動軸３７を介して、ワイヤドラム４２，４２が同じく反時計回りに回転する。これに伴い、光学ワイヤ４３，４３に引かれて、照明用光学移動枠ユニット２３及び反射用光学移動枠ユニット３０が右方に移動する。この際、反射用光学移動枠ユニット３０は、その可動プーリ３３，３３がいわゆる動滑車として作用するため、移動距離が照明用光学移動枠ユニット２３の移動距離の半分となる。これにより、照明用光学移動枠ユニット２３及び反射用光学移動枠ユニット３０の移動にかかわらず、読取ラインＬｎからＣＣＤ１４に至る光路長が一定に保持されて、次に説明する結像レンズ１３を通過した光がＣＣＤ１４上で像を結ぶようになっている。なお、本実施形態では、上述のように光源１２を移動させるための構成全体が駆動装置（移動装置１５）に相当する。
【００３７】
図１に示すように、結像レンズ１３は、レンズ取付台４６に固定されたレンズ取付板４８上に固定されている。光源１２から照射された光は、原稿Ｇの画像面で反射されて、同図に示す光路Ｋをたどる。すなわち、画像面からの反射光は、第１ミラー２７、第２ミラー２８、第３ミラー３２で反射されて結像レンズ１３を通過して、次に説明するＣＣＤ１４上で結像される。レンズ取付板４８の後端側には屈曲形状のＣＣＤ調整板４９が固定されていて、このＣＣＤ調整板４９の水平部４９には、前端側と後端側とに、後述する光軸調整ピン５３，５３が螺合される雌ねじ（不図示）が螺刻されている。
【００３８】
ＣＣＤ１４は、直立姿勢のＣＣＤ基板５０の表面（図１では左面）に取り付けられており、ＣＣＤ取付板５１によって保持された状態で、ＣＣＤ基板５０とともに、箱状のＣＣＤカバー５２によって覆われている。ＣＣＤ取付板５１の上端は、左方に屈曲された水平部５１ａとなっていて、この水平部５１ａには、前端側と後端側とに、光軸調整ピン５３，５３が貫通する透孔（不図示）が穿設されている。光軸調整ピン５３，５３は、ＣＣＤ取付板５１側の水平部５１上の透孔を上方から貫通するとともに、ＣＣＤ調整板４９側の水平部４９ａの雌ねじに螺合されている。さらに、これら水平部４９ａ，５１ａの間には、光軸調整ピン５３，５３によって貫通された圧縮ばね５４，５４が介装されている。ＣＣＤ取付板５１は、この圧縮ばね５４，５４によって、ＣＣＤ調整板４９に対して上方に付勢されており、上述の光軸調整ピン５３，５３の大径の頭部に下方から当接されている。光軸調整ピン５３，５３は、ＣＣＤ調整板４９の水平部４９ａに対するねじ込み量を調整することで、ＣＣＤ１４の前後方向の傾斜を調整することができるようになっている。
【００３９】
図１に示すように、本実施形態では、画像読取装置１０は、原稿載置用ガラス１８の上方に、開閉自在な自動原稿給送装置６０を備えていて、この自動原稿給送装置６０で原稿Ｇを搬送することで、原稿Ｇの流し読みを行っている。自動原稿給送装置６０全体は、後端側が、筐体１６における原稿載置用ガラス１８の後方に位置する部分によって揺動自在に支持されており、前端側がほぼ上下方向に開閉自在になっている。自動原稿給送装置６０は、原稿Ｇの搬送方向に沿っての上流側から順に配設された給紙トレイ６１、搬送ローラ６２、排紙ガイド６３、排紙トレイ６４等を備えている。このうち排紙ガイド６３は、上述の左指示板２０の左端側の上面に、右上がりの傾斜面として形成されている。
【００４０】
図１に示すように、給紙トレイ６１には、載置された原稿Ｇの後端及び前端（原稿Ｇの搬送方向に向かってみた場合の右端及び左端）の位置を規制するサイド規制板６５，６６が前後方向に移動自在に配設されている。これらサイド規制板６５，６６の間には、例えば、ラック＆ピニオン等の連動機構（不図示）が介装されていて、給紙トレイ６１の通紙幅方向（前後方向）の中心に向けて一方のサイド規制板６５（又は６６）を移動させると、他方のサイド規制板６６（又は６５）も同様に中心に向かって移動し、また、この逆に、一方のサイド規制板６５（又は６６）を中心から遠ざかる方向に移動させると、他方のサイド規制板６６（又は６５）も同様に中心から遠ざかる方向に移動する。つまり、給紙トレイ６１上に原稿Ｇを載置した後、サイド規制板６５，６６をそれぞれ原稿Ｇの後端及び前端に押し当てることにより、通紙幅の異なる種々の原稿Ｇを給紙トレイ６１の通紙幅方向の中央に配置することができる。すなわち、自動原稿給送装置６０を使用して原稿Ｇを流し読みする場合には、原稿Ｇは中央基準で読み取られるようになっている。
【００４１】
給紙トレイ６１には、載置された原稿Ｇの通紙幅を検知するためのサイズ検知センサ（不図示）が配置されている。上述のように、給紙トレイ６１に載置された原稿Ｇは、サイド規制板６５，６６がそれぞれ後端，前端に当接されることで、給紙トレイ６１の前後方向の中央に位置決めされる。サイズ検知センサは、このときのサイド規制板６５，６６の位置を検知することで、原稿Ｇの通紙幅を検知することができる。
【００４２】
上述構成の画像読取装置１０は、原稿Ｇの画像を読み取る際に、原稿Ｇを固定して光源１２を移動させる固定読みと、光源１２を固定して原稿Ｇを移動させる流し読みとの双方を行うことができる。また、いずれの場合も、原稿Ｇの照射に必要なＬＥＤ素子Ｌのみが点灯され、照射に寄与しないＬＥＤ素子Ｌは消灯されるようになっている。
【００４３】
前者の固定読みに際しては、自動原稿給送装置６０を開放して、原稿Ｇを原稿載置用ガラス１８上にセットする。このとき、原稿Ｇを後端基準で読取位置にセットする。自動原稿給送装置６０を原稿Ｇの上から閉鎖すると、一旦、光源１２のすべてのＬＥＤ素子Ｌ１〜Ｌ２２が点灯され、原稿Ｇからの反射光がＣＣＤ１４に入射される。このときの通紙幅方向に沿っての入射光量の違いに基づいて、原稿Ｇのサイズ（通紙幅）が検知される。制御手段７０は、この検知結果に基づいて、画像読取りの際に点灯させるＬＥＤ素子Ｌを決定する。例えば、図２に示すように、後端基準で原稿載置用ガラス１８にセットされた原稿Ｇが、Ａ４縦（Ａ４Ｒ）の場合には、ＬＥＤ素子Ｌ１〜Ｌ１６の合計１６個のＬＥＤ素子Ｌが点灯されることになる。
【００４４】
つづいて、作業者が筐体１６に取り付けられている操作パネル（不図示）を操作して読取開始ボタン（不図示）を押す。これにより、照明用光学移動枠ユニット２３が原稿Ｇの左端よりも左側の読取開始位置に配置され、ここから右方に移動する。これに伴い、照明用光学移動枠ユニット２３に搭載されている光源１２が原稿Ｇの画像面を読取ラインＬｎに沿って照射（主走査）しながら、右方に移動して副走査し、原稿Ｇの画像面をその全領域にわたって、光照射する。画像面からの反射光は、さらに第１ミラー２７，第２ミラー２８，第３ミラー３２で反射され、結像レンズ１３を通って結像し、ＣＣＤ１４に導かれる。これにより、原稿Ｇの画像面が全領域にわたって読み取られる。
【００４５】
一方、後者の流し読みに際しては、自動原稿給送装置６０を閉鎖した状態で、給紙トレイ６１上に原稿Ｇをその画像面を上に向けた状態で載置し、原稿Ｇの後端及び前端にサイド規制板６５，６６を当接させることで、原稿Ｇを給紙トレイ６１の中央にセットする。これにより、原稿Ｇの通紙幅が検知される。操作パネルの読取開始ボタンを押すと、照明用光学移動枠ユニット２３が左指示板２０の左側のシートスルー用ガラス１８ａの画像読取部Ｒの下方の読取位置に移動する。給紙トレイ６１上の原稿Ｇは、搬送ローラ６２等によって画像読取部Ｒに搬送される。このとき、光源１２から照射された照射光は、画像読取部Ｒを通過する原稿Ｇの画像面によって反射され、上述の固定読みの場合と同様、第１ミラー２７，第２ミラー２８，第３ミラー３２で反射され、結像レンズ１３を通って結像し、ＣＣＤ１４に導かれる。これにより、原稿Ｇの画像面が全領域にわたって読み取られる。流し読みに際し、例えば、原稿ＧがＡ４Ｒの場合には、ＬＥＤ素子Ｌ１〜Ｌ２２のうち、中央側のＬＥＤ素子Ｌ４〜Ｌ１９が点灯され、両外側のＬＥＤ素子Ｌ１〜Ｌ３及びＬＥＤ素子Ｌ２０〜Ｌ２２は消灯される。
【００４６】
図４を参照して、ＬＥＤ素子Ｌについて説明する。同図は、ＬＥＤ素子Ｌの縦断面図である。なお、ＬＥＤ素子Ｌ１〜Ｌ２２は、同じ構成である。ＬＥＤ素子Ｌは、青色の光を発生させる発光体としてのＬＥＤチップ７８と、蛍光体としての黄色の蛍光層８３とを有している。
【００４７】
同図に示すように、ＬＥＤ素子Ｌは、４つの側部７１ａと底部７１ｂとを有し、上端が開口された四角筒状のパッケージ７１を備えている。パッケージ７１の側部７１ａの内面には、ペースト７２によって反射板７３が保持されている。また、底部７１ｂの内面（上面）には、ペースト７２によって、電極パターン７４，７５，７６が保持されている。左の電極パターン７４は、光源用メイン基板２５側の＋電極７４ａに接続され、右の電極パターン７６は、光源用メイン基板２５側の−電極７６ａに接続されるようになっている。また、中央の電極パターン７５の上面には、ペースト７７により、ＬＥＤチップ（発光体）７８が保持されている。ＬＥＤチップ７８には、Ｐ側電極パッド７９、Ｎ側電極パッド８０が配設されていて、Ｐ側電極パッド７９は銅線８１を介して電極パターン７４に接続され、Ｎ側電極パッド８０は銅線８２を介して電極パターン７６に接続されている。上述のパッケージ７１の内側、すなわち４つの側部７１ａと底部７１ｂとによって囲まれた空間には、蛍光材８３が充填され、パッケージ７１の開口部は、透明フィルム８４によって封止されている。本実施形態では、ＬＥＤチップ（発光体）７８としては、電圧を印加することによって青色の光を発生させるものを使用し、また、蛍光材（蛍光体）８３としては黄色のものを使用した。本実施形態では、この組み合わせにより、ＬＥＤ素子Ｌから白色の光が発光される。すなわち、ＬＥＤチップ７８で発生された青色の光は、黄色の蛍光材８３により黄色の光が付加されて、全体として白色の光を発光することになる。
【００４８】
図５（ａ），（ｂ）を参照して、ＬＥＤチップ７８について詳述する。ＬＥＤチップ７８は、最下層にサファイア基板８５が配置されていて、その上面にｎ型窒化物半導体層８６が積層されている。ｎ型窒化物半導体層８６の（ａ）中での右端側で、（ｂ）中での中央に位置する部分の上面には、円板状のｎ側電極パッド８０が配設されている。また、ｎ型窒化物半導体層８６の上面における、上述のｎ側電極パッド８０が配置されている部分を除く大部分には、下側から順に発光層８７、ｐ型窒化物半導体層８８、透明電極８９が積層されている。上述のｎ型窒化物半導体層８６や透明電極８９は、保護膜９０によって覆われていて、保護膜９０の一部に円板状のｐ側電極パッド７９、ｎ側電極パッド８０がはめ込まれている。これらｐ側電極パッド７９、ｎ側電極パッド８０は、それぞれ透明電極８９、ｎ型窒化物半導体層８６に接触するとともに、上方に向かって露出されている。上述構成のＬＥＤチップ７８は、ｐ側電極パッド７９が、図４に示すように銅線８１を介して＋の電極パターン７４に接続され、一方、ｎ型電極パッド８０が銅線８２を介して−の電極パターン７６に接続されており、これら電極パターン７４，７６を介して光源用メイン基板２５側の＋電極７４ａ、−電極７６ａから電圧が印加されることにより、発光層８７が青色の光を発光するようになっている。
【００４９】
図３に示すように、本実施形態では、上述のように、前後方向に長い光源用メイン基板２５の上面に、後側から順に、メインのＬＥＤ素子Ｌ１〜Ｌ２２を配設されており、これらメインのＬＥＤ素子Ｌ１〜Ｌ２２は、青色の光を発生させるＬＥＤチップ７８と黄色の蛍光材８３との組み合わせにより、全体として白色の光を発光するようしている。メインのＬＥＤ素子Ｌ１〜Ｌ２２は、この組み合わせでは、従来技術で述べたように、ＬＥＤチップ７８の寿命に対して、蛍光材８３の寿命が短いため、使用に伴う経時的劣化により、１つのＬＥＤ素子Ｌ全体として黄色の光量が徐々に不足していく。このため、はじめ白色であった光は、徐々に青みを帯びてくることになる。
【００５０】
そこで、本実施形態では、メインのＬＥＤ素子Ｌ１〜Ｌ２２において不足する黄色の光量を増加させるために、サブのＬＥＤ素子（サブ光源素子）Ｎ１〜Ｎ２２を配設した。図３に示すように、各メインのＬＥＤ素子Ｌ１〜Ｌ２２に隣接させて、各サブのＬＥＤ素子Ｎ１〜Ｎ２２を配置した。本実施形態では、各ＬＥＤ素子Ｎ１〜Ｎ２２は、各ＬＥＤ素子Ｌ１〜Ｌ２２の後側に隣接させて配置した。このように隣接させて配置することにより、前後方向の照度ムラに対するＬＥＤ素子Ｎ１〜Ｎ２２の影響を少なくすることができる。つまり、ＬＥＤ素子Ｎ１〜Ｎ２２は、ＬＥＤ素子Ｌ１〜Ｌ２２の不足する光を補うものであるため、可及的、ＬＥＤ素子Ｌ１〜Ｌ２２に近接させて配置させることが好ましい。なお、本実施形態では、各ＬＥＤ素子Ｎ１〜Ｎ２２を、各ＬＥＤ素子Ｌ１〜Ｌ２２の後側に隣接させて配置したが、これに変えて、前側又は左側又は右側に隣接させて配置するようにしてもよい。
【００５１】
本実施形態では、ＬＥＤ素子Ｌ１〜Ｌ２２、ＬＥＤ素子Ｎ１〜Ｎ２２は、いずれも光源用メイン基板２５によって、個別に電圧又は電流が制御されて光量を調整することができるようになっている。そして、メインのＬＥＤ素子Ｌ１〜Ｌ２２のうち、黄色の光量が所定の閾値よりも低くなったメインのＬＥＤ素子Ｌについて、そのメインのＬＥＤ素子Ｌに対応するサブのＬＥＤ素子Ｎを点灯させようにしている。
【００５２】
以下、この点について、図６〜図８を参照して詳述する。図１に示す左指示板２０と、原稿載置用ガラス１８の上面との間には、前後方向に長い白色のシェーディング補正板（不図示）が配設されている。メインのＬＥＤ素子Ｌ１〜Ｌ２２によって原稿Ｇの画像を読み取る場合、図６のフローチャートに示す固定読み、図７のフローチャートに示す流し読みのいずれの場合も、１ジョブごとに周知のシェーディング補正を行う。
【００５３】
まず、図６を参照して、固定読み時の動作を説明する。画像読取開始ボタン（不図示）がＯＮされると（ステップＳ１：以下単に「Ｓ１」のように略記する。）、画像読取用のメインのＬＥＤ素子Ｌが点灯される（Ｓ２）。ここで、シェーディング補正が行われる（Ｓ３）。このシェーディング補正時に、サブのＬＥＤ素子Ｎの点灯が必要か否かが判断される。図１に示す照明用光学移動枠ユニット２３をシェーディング補正板の下方に配置し、ＬＥＤ素子Ｌによってシェーディング補正板を照射し、その反射光をＣＣＤ１４で読み込む。ＣＣＤ１４には、Ｒ（赤色）、Ｇ（緑色）、Ｂ（青色）の３色をそれぞれ読み取るための３本の読取ライン（不図示）が前後方向に長く形成されている。ここで、メインのＬＥＤ素子Ｌのうち、いずれかのＬＥＤ素子Ｌが劣化して黄色の光量が不足すると、Ｒ及びＧの読取ラインのうち、劣化したメインのＬＥＤ素子Ｌに対応する部分の出力が低下する。そこで、例えばＣＣＤ１４を前後方向に、ＬＥＤ素子Ｌ１〜Ｌ２２と同数のブロックに分割し、ＲＧＢについてブロック内の平均出力を求める（図８のＳ３１）。そして、Ｒ又はＧのブロックの出力が、あらかじめ設定したおいた閾値以下になった場合に（Ｓ３２のＹＥＳ）、そのブロックに対応するメインのＬＥＤ素子Ｌに隣接するサブのＬＥＤ素子（黄色ＬＥＤ）Ｎを点灯させる（Ｓ３３）。このステップＳ３，Ｓ３１，Ｓ３２，Ｓ３３の動作を、ＲＧＢの３色いずれもが閾値を越える間で繰り返す。そして、閾値を越えたら（Ｓ３２のＮＯ）、読取動作を開始する（Ｓ３４）。図６のステップＳ３に戻り、画像読取用のモータ３６（図１参照）を往動（起動）させて画像を読み取る（Ｓ４）。読取後、画像読取用のモータ３６を復動させて、ホームポジションに移動させ（Ｓ５）、その後、モータ３６を停止させる。以上で、固定読み時の動作が終了する。
【００５４】
次に、図７を参照して、流し読み時の動作を説明する。画像読取開始ボタン（不図示）がＯＮされると（ステップＳ１１）、画像読取用のメインのＬＥＤ素子Ｌが点灯される（Ｓ１２）。ここで、シェーディング補正が行われる（Ｓ１３）。このシェーディング補正時に、サブのＬＥＤ素子Ｎの点灯が必要か否かが判断される。なお、シェーディング補正時の流れについては、図８に示すように、上述の固定読みの場合と同様であるので説明は省略する。出力比が閾値を越えたら（Ｓ３２のＮＯ）、読取動作を開始する（Ｓ３４）。図７のステップＳ１３に戻り、画像読取用のモータ３６（図１参照）を往動（起動）させて、光源１２を画像読取部（画像読取位置）Ｒまで移動させる（Ｓ１４）。これと並行して、原稿搬送用のモータ（不図示）を動作させて、原稿Ｇの給紙を開始し（Ｓ１５）、原稿Ｇを画像読取部Ｒに移動させる。読取後の原稿Ｇを排出する（Ｓ１７）。原稿Ｇの画像読取部Ｒへの搬送と、原稿読取部Ｒからの排出を、原稿Ｇがなくなる間で続ける。最終原稿を排出したら、画像読取用のモータ３６を復動させて、ホームポジションに移動させ（Ｓ１８）、その後、モータ３６を停止させる。以上で、流し読み読み時の動作が終了する。
【００５５】
なお、以上では、図８のステップＳ３１，Ｓ３２において、ＲＧＢ出力比を比較する際、黄色を創り出すＲ又はＧの出力比が閾値以下になったときに、サブのＬＥＤ素子Ｎを点灯するようにしたが、これに変えて、Ｂの出力値が別の閾値以上となったときに、サブのＬＥＤ素子Ｎを点灯させるようにしてもよい。
【００５６】
＜実施形態２＞
図９を参照して、実施形態２について説明する。ここで、図９（ａ）は、光源１２を前側の右斜め上方から見て模式的に示す図である。（ｂ）は、光源１２を右方から見て模式的に示す図である。なお、これらの図では、光源１２を水平に配置した状態を図示いているが、実際には、図１に示す移動枠２４に取り付けられて、左斜め上方を向くように配置されている。
【００５７】
図９に示す例では、走査方向（前後方向）に長い光源１２を、走査方向に長い導光体（導光板）９５と、メインのＬＥＤ素子Ｌと、サブのＬＥＤ素子Ｎと、反射板９６とによって構成している。
【００５８】
導光体９５は、主走査方向（前後方向）に直交する平面で切った断面形状が「かまぼこ形」、すなわち長方形の上に半円を重ねたような形状に形成されている。導光体９５は、原稿載置用ガラス１８に対向する上面９５ａが半円状の曲面で形成され、底面９５ｂが平面状に形成され、また、前端面９５ｃ及び後端面９５ｄが平面状に形成されている。導光体９５は、材質的には、ポリカーボネート系樹脂（例えば、ポリカーボネート），アクリル系樹脂等の透明な合成樹脂やガラスを使用することができる。
【００５９】
メインのＬＥＤ素子Ｌは、上述の導光体９５の前端面９５ｃと後端面９５ｄにおける左右方向の中央近傍に配置されている。２つのＬＥＤ素子Ｌは、それぞれ発光面を、導光体９５の長手方向（主走査方向）の中央に向けるようにして配置されている。
【００６０】
サブのＬＥＤ素子Ｎは、導光体９５の前端面９５ｃと後端面９５ｄにおける左右方向の中央近傍に、上述のメインのＬＥＤ素子Ｌに隣接するように配置されている。２つのサブのＬＥＤ素子Ｎは、上述のメインのＬＥＤ素子Ｌと同様、それぞれの発光面を、導光体９５の長手方向（主走査方向）の中央に向けるようにして配置されている。なお、図９に示す例では、２個のサブのＬＥＤ素子Ｎは、前端面９５ｃ，後端面９５ｄのいずれにおいても、メインのＬＥＤ素子Ｌの右側に配置されているが、これに変えて、左側又は上側又は下側に配置するようにしてもよい。メインのＬＥＤ素子Ｌ及びサブのＬＥＤ素子Ｎの構成は、上述の実施形態１で説明したものと同様である。
【００６１】
反射板９６は、前後方向に交差する平面で切った断面形状が上方に開口する「コ」字形に形成されていて、前後方向（主走査方向）の長さは、上述の導光体９５とほぼ同等に形成されている。反射体９６は、左側壁９６ｅが導光体９５の左側面９５ｅを、また後側壁９６ｆが導光体９５の右側面９５ｆを、また底部９６ｂが導光体９５の底面９５ｂを覆うように配置されている。反射板９６を設けることで、原稿に対する照射効率を高めることができる。
【００６２】
図９に示すサイドライト方式の光源１２においては、導光体９５の前側面９５ｃ及び後側面９５ｄに配置されたメイン及びサブのＬＥＤ素子Ｌ，Ｎは、所定の照射角度をもって、導光体９５の長手方向の中央に向けて光を出射する。出射された光は、導光体９５中を長手方向中央に向かって進みながら、導光体９５の上面９５ａを介して、原稿載置用ガラス１８上の原稿（不図示）を照射し、また、前側面９５ｅ，後側面９５ｆ，底面９５ｂ及び反射板９６によって適宜に反射された後、導光体９５の上面９５ａを介して、原稿載置用ガラス１８上の原稿（不図示）を照射することができる。
【００６３】
本実施形態においても、メインのＬＥＤ素子ＬとサブのＬＥＤ素子Ｎとを組み合わせることについての作用効果は、上述の実施形態と同様である。さらに、本実施形態２では、上述の実施形態１と比較して、メイン及びサブのＬＥＤ素子Ｎの数を少なくすることができるので、その分、構成を簡略化して、ＬＥＤ素子Ｌ，Ｎについてのコストを低減することができる。
【００６４】
なお、本実施形態において、導光体９５の底面９５ｂを、長手方向の両端部よりも中央が高くなるように緩やかに傾斜させることにより、照射効率を高めることができる。照射効率を高めるための方策としては、他に、例えば、導光体９５の底面９５ｂを粗面（凸凹）に形成したり、導光体９５中に屈折率が異なる物質を分散させたりして、乱反射を促進するものなどがある。
【００６５】
また、上述の実施形態では、導光体９５の前側面９５ｃ，後側面９５ｄの双方にメイン及びサブのＬＥＤ素子Ｌ，Ｎを配設するようにしたが、一方で必要な光量を確保することができる場合には、一方のみに配設するようにすればよい。
【００６６】
また、上述では、図９に示すように、導光体９５が「かまぼこ形」である場合を例に説明したが、導光体９５の形状については、「かまぼこ形」に限定されるものではなく、例えば、主走査方向（前後方向）に長い直方体状であってもよい。
【００６７】
上述の実施形態１，２では、メインのＬＥＤ素子Ｌ１〜Ｌ２２は、白色光を発光させるのに、青色を発生させるＬＥＤチップ７８と黄色の蛍光材８３を組み合わせたが、原理的には、これに代えて、緑色を発生させるＬＥＤチップとマゼンタの蛍光材の組み合わせ、または赤色を発生させるＬＥＤチップとシアンの蛍光材の組み合わせによって白色光を発光させることも可能である。ただし、一般に、上述の青色を発生させるＬＥＤチップ７８と黄色の蛍光材８３とを組み合わせた場合が、最も発光効率が高いとされている。
【００６８】
＜実施形態３＞
図１０を参照して、本発明に係る画像読取装置１０を備えた画像形成装置１（本発明に係る画像形成装置）の一例を説明する。同図は、画像形成装置１を正面側から見た模式図である。なお、同図に示す画像形成装置１は、電子写真方式のプリンタ，複写機等の画像形成装置である。
【００６９】
同図に示すように、画像形成装置１には、シート給送部２と、画像形成部３と、定着部４と、シート排出部５とが設けてある。このうち、シート給送部２には、給紙カセット２ａ、給紙ローラ２ｂ、給送ローラ２ｃ、リタードローラ２ｄ、搬送ローラ２ｅ、レジストローラ２ｆ等が配設されている。給紙カセット２ａ内に積層状態で収納された複数枚のシートＰは、その最上位のものが、給送ローラ２ｂによって給紙され、給送ローラ２ｃ及びリタードローラ２ｄによって重送を防止されて１枚だけ下流側に給送される。さらには搬送ローラ対２ｅによって停止中のレジストローラ対２ｆに当接されて、斜行が矯正される。シートＰは、その後、画像形成部３の感光ドラム３ａ上に形成されたトナー像にタイミングを合わせるようにして、画像形成部３に供給される。
【００７０】
画像形成部３には、感光ドラム３ａ、帯電ローラ３ｂ、露光装置３ｃ、現像装置３ｄ、テンションローラ３ｅ、クリーニング装置３ｆ等が配設されている。感光ドラム３ａは、矢印方向（時計回り）に回転駆動され、帯電ローラ３ｂによって所定の極性・電位に一様に帯電される。帯電後の感光ドラム３ａは、露光装置３ｃによる露光により、露光部分の電荷が除去されて静電潜像が形成される。この露光は、上述の画像読取装置１０によって読み見取られた原稿の画像情報に基づいて行われる。
【００７１】
感光ドラム３ａ上に形成された静電潜像は、現像装置３ｄによってトナーが付着されてトナー像として現像される。
【００７２】
このトナー像は、感光ドラム３ａと転写ローラ３ｅとの間に形成される転写ニップ部において、上述のシート給送部２から供給されたシートＰに転写される。
【００７３】
トナー像転写後の感光ドラム３ａは、表面に残ったトナー（転写残トナー）がクリーニング装置３ｆによって除去され、次の画像形成に供される。
【００７４】
一方、トナー像転写後のシートＰは、定着部４において、定着ローラ４ａと加圧ローラ４ｂとに間に形成される定着ニップ部を通過する際に、加熱・加圧されて表面にトナー像が定着される。トナー像定着後のシートＰは、排紙ローラ対５ａによって、排紙トレイ５ｂ上に排出される。
【００７５】
上述の画像形成装置１においては、上述の画像読取装置１０における効果を、画像形成装置１として奏することができる。
【００７６】
なお、上述では、画像形成装置１が電子写真方式の画像形成装置である場合を例に説明したが、本発明はこれに限定されるものではなく、静電記録方式、インクジェット方式、ワイヤドット方式、熱転写方式等の画像形成装置に対しても同様に適用することができ、ほぼ同等の効果を奏することができる。
【産業上の利用可能性】
【００７７】
上述では、本発明を画像読取装置に使用する場合を例に説明したが、本発明は、これ以外に例えば、点光源を複数、ライン状に整列させて棒状の光源を構成する一般的な場合にも広く適用することができる。
【図面の簡単な説明】
【００７８】
【図１】画像読取装置の縦断面を正面側（前側）から見た図である。
【図２】シート状の原稿のサイズがＡ列，Ｂ列である場合の、原稿載置用ガラスと、各サイズの原稿の載置位置と、光源を構成するＬＥＤ素子（メイン光源素子）との位置関係を説明する上面図である。
【図３】ＬＥＤ素子（メインＬＥＤ素子）及びＬＥＤ素子（サブＬＥＤ素子）の配置を説明する上面図である。
【図４】ＬＥＤ素子（メインＬＥＤ素子）の縦断面図である。
【図５】ＬＥＤ素子のＬＥＤチップの縦断面図である。
【図６】固定読み（テーブル読取）の場合の動作の流れを説明するフローチャートである。
【図７】流し読み（シートスルー読取）の場合の動作の流れを説明するフローチャートである。
【図８】シェーディング補正時の動作の流れを説明するフローチャートである。
【図９】（ａ）は実施形態２における光源を前側の右斜め上方から見て模式的に示す図である。（ｂ）は同じく右方から見て模式的に示す図である。
【図１０】本発明に係る画像読取装置（実施形態３）を備えた画像形成装置を正面側から見た模式図である。
【符号の説明】
【００７９】
１……画像形成装置、２……シート給送部、３……画像形成部、４……定着部、５……シート排出部、１０……画像読取装置、１２……光源、１３……結像レンズ、１４……ＣＣＤ（固体撮像素子）、７０……制御手段、Ｇ……原稿、Ｌ，Ｌ１〜Ｌ２２……ＬＥＤ素子（メイン光源素子）、Ｎ，Ｎ１〜Ｎ２２……ＬＥＤ素子（サブ光源素子）、Ｐ……シート
【図１】
2009060344.tif 000003
【図２】
2009060344.tif 000004
【図３】
2009060344.tif 000005
【図４】
2009060344.tif 000006
【図５】
2009060344.tif 000007
【図６】
2009060344.tif 000008
【図７】
2009060344.tif 000009
【図８】
2009060344.tif 000010
【図９】
2009060344.tif 000011
【図１０】
2009060344.tif 000012